(57)【要約】      （修正有）【課題】歯磨き衛生に関することを遊びながら学ぶことができるとともに、幼児に対して歯磨きに興味をもたせ、歯磨きの重要性を理解させ、さらにはその習慣化を促すための育児教育にも資することができる歯磨き玩具を提供する。【解決手段】動物玩具１と、動物玩具１の口部４に着脱可能な食べ物のカスやばい菌を模した汚れ玩具２と、これらの汚れ玩具２を除去する歯ブラシ玩具３とから構成される。汚れ玩具２の裏面には、フック状に起毛されたフック状起毛部が形成され、汚れ玩具２の表面には、フック状起毛部よりも外側に張り出す張り出し部が形成されているとともに、動物玩具１の口部４と歯ブラシ玩具３のブラシ部１０とには、それぞれフック状起毛部を押し付けることによって接合可能な布材１１が設けられている。【選択図】図１
0003179951.tif 000002
【実用新案登録請求の範囲】
【請求項１】
動物玩具と、動物玩具の口部に着脱可能な食べ物のカスやばい菌を模した汚れ玩具と、これらの汚れ玩具を除去する歯ブラシ玩具とから構成され、汚れ玩具の底面には、フック状に起毛されたフック状起毛部が形成され、汚れ玩具の上部には底部よりも外側に張り出し且つ可撓性を有する張り出し部が形成されているとともに、動物玩具の口部と歯ブラシ玩具のブラシ部とには、それぞれ上記フック状起毛部に着脱可能な布材が設けられていることを特徴とする歯磨き玩具。
【請求項２】
上記汚れ玩具の底面にフック状起毛部を形成し、動物玩具の口部と歯ブラシ玩具のブラシ部とに上記フック状起毛部に着脱可能な布材を設けることに代え、上記動物玩具の口部と歯ブラシ玩具のブラシ部とにフック状起毛部を形成し、上記汚れ玩具の底面に、上記フック状起毛部に着脱可能な布材を設けたことを特徴とする、請求項１に記載の歯磨き玩具。
【請求項３】
上記布材はトイクロス（株式会社加藤人形の登録商標）であることを特徴とする、請求項１又は２に記載の歯磨き玩具。
【考案の詳細な説明】
【技術分野】
【０００１】
本考案は、動物玩具と、動物玩具の歯に着脱可能な食べ物のカスやばい菌などの汚れ玩具と、これらの汚れ玩具を除去する歯ブラシ玩具とから構成される歯磨き玩具に関する。
【背景技術】
【０００２】
一般に、おもちゃは幼児、児童の遊び道具であるが、その中で知育玩具は、幼児や児童の知能的発達を促進する玩具、または幼児や児童の学習の助けになる玩具のことで、考える事や表現する事を通じて、知能全般の発達を促す事を目的としている。
【０００３】
例えば、特許文献１に示されるように、動物おもちゃの口部からいろいろな種類の擬似食物を入れて胃部に移すようにし、さらに胃部を開いて食べ物がどのように体の中を動くのか、どのような食べ物が体にどのような影響を与えるのか等を学習していこうとする玩具が考えられている。
【先行技術文献】
【特許文献】
【０００４】
【特許文献１】実用新案登録第３１１３５３７号公報
【考案の概要】
【考案が解決しようとする課題】
【０００５】
しかしながら、従来はこのような食育に関する知育玩具はあったが、衛生に関する知育玩具は知られていなかった。
【０００６】
本考案は、上記問題点を解消し、歯磨き衛生に関することを遊びながら学ぶことができるとともに、幼児に対して歯磨きに興味をもたせ、歯磨きの重要性を理解させ、さらにはその習慣化を促すための育児教育にも資することができる歯磨き玩具を提供することをその課題とする。
【課題を解決するための手段】
【０００７】
上記課題を解決するため、請求項１に係る考案は、動物玩具と、動物玩具の口部に着脱可能な食べ物のカスやばい菌を模した汚れ玩具と、これらの汚れ玩具を除去する歯ブラシ玩具とから構成され、汚れ玩具の底面には、フック状に起毛されたフック状起毛部が形成され、汚れ玩具の上部には底部よりも外側に張り出し且つ可撓性を有する張り出し部が形成されているとともに、動物玩具の口部と歯ブラシ玩具のブラシ部とには、それぞれ上記フック状起毛部に着脱可能な布材が設けられていることを特徴とする。
【０００８】
請求項２に係る歯磨き玩具は、請求項１において、上記汚れ玩具の底面にフック状起毛部を形成し、動物玩具の口部と歯ブラシ玩具のブラシ部とに上記フック状起毛部に着脱可能な布材を設けることに代え、上記動物玩具の口部と歯ブラシ玩具のブラシ部とにフック状起毛部を形成し、上記汚れ玩具の底面に、上記フック状起毛部に着脱可能な布材を設けたことを特徴とする。
【０００９】
請求項３に係る歯磨き玩具は、請求項１又は２において、上記布材はトイクロス（株式会社加藤人形の登録商標）であることを特徴とする。
【考案の効果】
【００１０】
請求項１に係る考案によれば、まず動物玩具の口部を開けて汚れ玩具を付着させ、歯ブラシ玩具のブラシ部の側面を汚れ玩具の張り出し部の一部に当て、めくり上げるように回転させると、汚れ玩具の一部が動物玩具の布材の表面から剥がれて露出する。そこで、さらに回転させることにより、ブラシ部と汚れ玩具とが付着する。このように、歯ブラシ玩具によって汚れ玩具を剥ぎ取るようにして取り除くことができるが、この動作は、実際に歯を磨くときに歯ブラシを回転させながら歯に付着した汚れを除去する動作と近似している。したがって、動物玩具の口部に汚れ玩具を付着させることにより、その状態が汚くて不衛生であることを幼児に目で確認させ、同時に口部に汚れやばい菌がヒトの口に付着した状態を連想させることで、口腔内は清潔にしなければ汚れやばい菌で不衛生な状態になることを学習させることができる。そして、歯ブラシ玩具で汚れ玩具を除去して動物玩具の口部をきれいにすることにより、汚れ状態から清潔状態にすることができることを幼児に目で確認させ、口腔内を清潔にすることの重要性を学習させることができる。
【００１１】
以上のように、上記歯磨き玩具によれば、磨き衛生に関することを遊びながら学ぶことができるとともに、幼児に対して歯磨きに興味をもたせ、歯磨きの重要性を理解させ、さらにはその習慣化を促すための育児教育にも資することができる。
【００１２】
請求項２に係る考案によれば、フック状起毛部は汚れ玩具の底面に、上記布材は動物玩具の口部及び歯ブラシ玩具のブラシ部に設けられているから、汚れ玩具の底面はフック状起毛部によってザラザラで滑らかではないので、汚れというイメージをよく表すことができる。これに対し、動物玩具の口部や歯ブラシ玩具のブラシ部は布材で構成されているので、清潔なイメージをそのまま表現することができる。
【００１３】
請求項３に係る考案によれば、上記布材はトイクロスであるから、安価であり、表面がソフトでフェルトのような弾力感と温かみがあり、手触りがいいとともに、フック状起毛部にあまり強くなく付着することができるので、幼児でも扱いやすい玩具を提供することができる。
【図面の簡単な説明】
【００１４】
【図１】歯磨き玩具を示す正面図
【図２】（ａ）（ｂ）はそれぞれ汚れ玩具の主要部の側面図および底面図
【図３】（ａ）（ｂ）はそれぞれ歯磨き玩具の使用態様説明図
【図４】動物玩具に歯ブラシ玩具を持たせた状態の斜視図
【図５】（ａ）（ｂ）はそれぞれ汚れ玩具の取り除きを示す説明図
【考案を実施するための形態】
【００１５】
図１は本考案に係る歯磨き玩具の構成を示す説明図である。この歯磨き玩具は、基本的には動物玩具１と、動物玩具１の口部に着脱可能な食べ物のカスやばい菌を模した汚れ玩具２と、これらの汚れ玩具２を除去する歯ブラシ玩具３とから構成されている。なお、Ａは汚れ玩具２や歯ブラシ玩具３を保持するための袋である。
【００１６】
動物玩具１はワニを模したぬいぐるみで、口部４は大きく形成されている。開閉可能になっているのが好ましい。口部４の奥の喉部には腹部に通じる袋（図示せず）の入口５が形成されている。なお、動物玩具１の形態はワニである必要はない。ライオンや虎、鯨、ヒトなど動物であれば、どのようなものであってもよい。
【００１７】
また、目部６には他の目部材７が着脱できるようになっており、目部材７としては、涙目を表すもの７ａ、痛い感情を表すもの７ｂ、うれしい表情を表すもの７ｃ等である。そのほか、ビスケット、あめ、チョコレートなどの異なる種類の菓子を模した菓子玩具１２が付属している。
【００１８】
次に、汚れ玩具２は食べ物のカスを模したものや、ばい菌を模したもので、図２（ａ）（ｂ）に示されるように、その底部全面にはフック状に起毛されたフック状起毛部８が形成されている。このフック状起毛部８は通常の面ファスナーの雄部と同じ構成である。また、汚れ玩具２の上部には、底部よりも外側に張り出す張り出し部９が形成されている。張り出し部９は可撓性を有するもので、そのためには汚れ玩具２は布材から構成するのが好ましい。なお、図示しないが、目部材７の裏面にもフック状起毛部８が設けられている。
【００１９】
ところで、動物玩具１の口部４の内側と歯ブラシ玩具３のブラシ部１０および袋Ａには、フック状起毛部８に着脱可能な布材１１が設けられている。この布材１１としては、フック状起毛部８と引っかかる、ループ状のような部分があるもので、通常の面ファスナーの雌部でもよいが、この雌部との付着強度よりも小さいものが好ましい。具体的にはトイクロス（株式会社加藤人形の登録商標、トイニットともいう）とか呼ばれる布材が最適であるが、フェルトなどの材料であってもよい。このような着脱手段は、動物玩具１の目部６と目部材７においても同様である。
【００２０】
上記構成の歯磨き玩具を使用するときは、まず図３（ａ）に示されるように、動物玩具１の口部４を開け、ここに汚れ玩具２を付着させる。汚れ玩具２の底部のフック状起毛部８を口部４の布材１１の表面に押し付けることにより、フック状起毛部８が布目に絡み合って簡単に付着することができる。
【００２１】
このようにして汚れ玩具２が口部４に付着させて口部４を汚れ状態にすることに関連し、汚れ玩具２を付着させる前に、同図（ｂ）に示すように、菓子玩具１２を動物玩具１に食べさせ、喉の入口５から腹部の袋部に収納させる。これにより、幼児に汚れの原因を説明することができる。
【００２２】
また、動物玩具１の目部６に笑った状態や泣いた状態や喜びの状態を表す目部材７を付着させることにより、ワニの表情やその変化を表すことができる。
【００２３】
次に、歯ブラシ玩具３で汚れ玩具２を取り除くことができる。この場合、図４に示されるように、動物玩具１の手に歯ブラシ玩具３の柄（フック状起毛部がついている）を持たせ、動物玩具１の手に幼児の手を添えて、ブラシ部１０の側面を汚れ玩具２の張り出し部９の一部に当て、図５（ａ）（ｂ）に示されるように、めくり上げるようにブラシ部１０の底面を下から横または上に向くように回転させればよい。ブラシ部１０が回転することにより、張り出し部９が上方に持ち上げられるので、汚れ玩具２の一部のフック状起毛部８が動物玩具１の布材１１の表面から剥がれて露出する。そこで、ブラシ部１０をさらに回転させるか、あるいはブラシ部１０を汚れ玩具２から離した後、その底面をフック状起毛部８に押し付けながら回転させることにより、こんどはブラシ部１０とフック状起毛部８とが付着し、歯ブラシ玩具３に汚れ玩具２が付着する。このように、歯ブラシ玩具３によって汚れ玩具２を剥ぎ取るようにして取り除くことができる。
【００２４】
このように、歯ブラシ玩具３のブラシ部１０を汚れ玩具２に押し付けて回転させただけでは、汚れ玩具２を剥しにくいが、汚れ玩具２の表面側に張り出し部９を設けたことにより、ブラシ部１０を張り出し部９に当てて押し上げるように回転させることで張り出し部９がめくり上げられ、汚れ玩具２の一部が動物玩具１の表面から剥がれて露出する。これによって、ブラシ部１０をフック状起毛部８と直接に接触させて付着させることができ、この状態でブラシ部１０を回す時のブラシ部１０とフック状起毛部８との摩擦力は、動物玩具１の口部４とフック状起毛部８との摩擦力より大きいので、歯ブラシ玩具３によって汚れ玩具２を簡単に剥ぎ取ることができるのである。
【００２５】
また、フック状起毛部８が付着する対象はトイクロスであり、一般の面ファスナーのループ状起毛部ではないから、付着強度は比較的弱く、幼児でも汚れ玩具２を剥し除去することができる。
【００２６】
また、上記布材１１はトイクロスであるから、安価であり、表面がソフトでフェルトのような弾力感と温かみがあり、手触りがいいとともに、フック状起毛部８にあまり強くなく付着することができるので、幼児でも扱いやすい玩具を提供することができる。
【００２７】
上述のように、歯ブラシ玩具３によって汚れ玩具２を除去する動作は、実際に歯を磨くときに歯ブラシを回転させながら歯に付着した汚れを除去する動作と近似している。したがって、動物玩具１の口部４に汚れ玩具２を付着させることにより、その状態が汚くて不衛生であることを幼児に目で確認させ、同時に口部４に汚れやばい菌がヒトの口に付着した状態を連想させることで、口腔内は清潔にしなければ汚れやばい菌で不衛生な状態になることを学習させることができる。そして、歯ブラシ玩具３で汚れ玩具２を除去して動物玩具１の口部４をきれいにすることにより、汚れ状態から清潔状態にすることができることを幼児に目で確認させ、口腔内を清潔にすることの重要性を学習させることができる。
【００２８】
以上のように、上記歯磨き玩具によれば、幼児に歯磨きに対する興味をもたせ、歯磨きの重要性を理解させるとともに、その習慣化を促すための育児教育にも資することができる。
【００２９】
なお、菓子玩具１２を動物玩具１に食べさせ、幼児に汚れの原因を説明するとともに、食べたときはおいしいので、目部６がうれしい表情の目部材７を付着させ、汚れ玩具２が付着したときは、虫歯で歯が痛くなって泣いている表情の目部材７を付着させ、さらに汚れ玩具２を除去したときには、再び喜びの表情の目部材７を付着させることで、食後は歯磨きをしないと痛い思いをするから、歯磨きを習慣化しなければならないという学習効果をよりリアルに高めることができる。
【００３０】
なお、フック状起毛部８は汚れ玩具２の底面に、上記布材１１は動物玩具１の口部４及び歯ブラシ玩具３のブラシ部１０に設けられているから、汚れ玩具２の底面はフック状起毛部８によってザラザラで滑らかではないので、汚れというイメージをよく表すことができる。これに対し、動物玩具１の口部４や歯ブラシ玩具３のブラシ部１０は布材１１で構成されているので、清潔なイメージをそのまま表現することができる。
【００３１】
なお、上述の実施形態は、汚れ玩具２の裏面にフック状起毛部８が形成され、動物玩具１の口部４と歯ブラシ玩具３のブラシ部１０とには、それぞれ上記フック状起毛部８を押し付けることによって接合可能な布材１１が設けられているものであるが、この逆に、動物玩具１の口部４と歯ブラシ玩具３のブラシ部１０とにそれぞれフック状起毛部８が形成され、汚れ玩具２の裏面にはフック状起毛部８を押し付けることによって接合可能な布材１１が設けられている構成としてもよい。
【符号の説明】
【００３２】
１    動物玩具
２    汚れ玩具
３    歯ブラシ玩具
４    口部
８    フック状起毛部
９    張り出し部
１０  ブラシ部
１１  布材
【図１】
0003179951.tif 000003
【図２】
0003179951.tif 000004
【図３】
0003179951.tif 000005
【図４】
0003179951.tif 000006
【図５】
0003179951.tif 000007